(57)【要約】【課題】通常撮影と赤外光等の特定波長光撮影の切り換えを短時間かつ円滑に行うことができるとともに、構成の簡素化が図られるプレゼンテーション用撮影装置を提供する。【解決手段】被写体からの撮像光路をビームスプリッタ６３によって通常撮影用と赤外光撮影用とに分割し、通常撮影用の撮像光路に通常撮影用撮像素子６１Ａを、また、赤外光撮影用の撮像光路に赤外光撮影用撮像素子６１Ｂを配備する。赤外光撮影用撮像素子６１Ｂとビームスプリッタとの間に赤外光のみが透過する光学フィルタ６４を固定して、赤外光撮影用の撮像光路を形成する。通常撮影時には通常撮影用撮像素子６１Ａによる撮影画像を用い、ポインティング等には赤外光撮影用撮像素子６１Ｂによる撮影画像データを用いる。【選択図】　　　　図３
2004128830.tif 000002
【特許請求の範囲】
【請求項１】
被写体から撮像手段に至る撮像光路が通常撮影用と特定波長光撮影用とに分割され、これら通常撮影用の撮像光路および特定波長光撮影用の撮像光路にそれぞれ撮像手段が配備されていることを特徴とするプレゼンテーション用撮影装置。
【請求項２】
前記特定波長光撮影用の撮像光路中に、特定波長光のみを透過させる光学フィルタが設けられていることを特徴とする請求項１に記載のプレゼンテーション用撮影装置。
【請求項３】
光分割特性を特定波長光成分とそれ以外の成分とに分割するビームスプリッタによって、前記撮像光路が前記特定波長光用と前記通常撮影用とに分割されていることを特徴とする請求項１に記載のプレゼンテーション用撮影装置。
【請求項４】
前記特定波長光が赤外光であることを特徴とする請求項１〜３のいずれかに記載のプレゼンテーション用撮影装置。
【発明の詳細な説明】
【０００１】
【発明の属する技術分野】
本発明は、プレゼンテーション用として好適な撮影装置に関する。
【０００２】
【従来の技術】
スクリーン等に原稿や図面等の資料を映し、その資料画像を参照しながら聴衆に対して資料の内容をプレゼンターが説明するプレゼンテーションを行う場合、資料画像を表示する装置としてはＯＨＰが一般的であったが、近年では、資料提示装置が普及してきている。資料提示装置は資料を被写体とする動画用のカメラを有し、カメラで撮影した資料の画像を、例えば液晶プロジェクタによってスクリーンに投影するようにして用いられるものである。
【０００３】
ところでプレゼンテーションにあっては、プレゼンターが資料画像の特定箇所にポインティングを行って説明を行う場合が多い。ポインティング用のツールとしてはレーザポインタが一般的であったが、レーザ光が聴衆の目に入射する危険性が問題視されたため、レーザポインタに代わる安全なポインティング方式が種々提案されている。本出願人は、特願２００２−２１６４７０で、プレゼンターの近傍に生成した仮想スクリーンに対してプレゼンターが指示マークによってポインティングの操作を行い、その指示マークをカメラで撮影して仮想スクリーン上での指示マークの座標を算出し、その座標にポイント画像を生成してスクリーンに映る資料画像にポイント画像を合成する方式を提案した。これによると、プレゼンターが仮想スクリーンに対して指示マークで擬似的にポインティングし、その動きをカメラで撮影させることにより、あたかもスクリーン上でポインティングしている如くスクリーン上にポイント画像が生成するのである。
【０００４】
【発明が解決しようとする課題】
上記仮想スクリーンは、指示マークを仮想スクリーンの対角２点である２つの基準点に順次位置させてこれをカメラで撮影し、これら基準点に基づき仮想スクリーンの座標を生成している。この時に、指示マークを明確に撮影することができるように、指示マークを特定波長光（具体的には赤外光）を含む発光体とし、一方、この指示マークを撮影可能とする赤外光透過用の光学フィルタをカメラの撮像光路中に挿脱自在に設け、仮想スクリーン生成時にはこの光学フィルタを撮像光路中に挿入している。また、指示マークによるポインティング操作時にも、指示マークが明確に撮影され、しかも背景が映らないようにするために光学フィルタをカメラの撮像光路中に挿入している。
【０００５】
上記光学フィルタは、資料の撮影時やプレゼンター撮影時等の通常撮影時にはカメラの撮像光路中から外れており、仮想スクリーンの生成時やポインティング時、すなわち指示マークの撮影時（赤外光撮影時）にはカメラの撮像光路中に挿入されていなければならず、したがって撮影対象に応じて光学フィルタの挿脱操作が必要になってくる。この挿脱操作は手動であれば面倒であり、また、駆動機構を設けたり、さらには電気的に遠隔操作できるようにすれば、構成の複雑化を招く。また、いずれの場合も挿脱に時間を要し、使い勝手の点で不満が生じるものであった。
【０００６】
よって本発明は、通常撮影と赤外光等の特定波長光撮影の切り換えを短時間かつ円滑に行うことができるとともに、構成の簡素化が図られるプレゼンテーション用撮影装置を提供することを目的としている。
【０００７】
【課題を解決するための手段】
本発明は、被写体から撮像手段に至る撮像光路が通常撮影用と特定波長光撮影用とに分割され、これら通常撮影用の撮像光路および特定波長光撮影用の撮像光路にそれぞれ撮像手段が配備されていることを特徴としている。
【０００８】
本発明では、通常撮影用の撮像光路に配備された撮像手段によって撮影された画像を用いるか、特定波長光のみを撮影する特定波長光撮影用の撮像光路に配備された撮像手段によって撮影された画像を用いるかを切り換えることにより、通常撮影と特定波長光撮影を瞬時に切り換えることができる。このため、従来のように光学フィルタを挿脱することにより通常撮影と特定波長光撮影を切り換える手間が省かれる。また、光学フィルタの挿脱のための機構を必要としないので、構成の簡素化が図られる。
【０００９】
本発明の特定波長光撮影用の撮像光路を形成する手法としては、同光路中に特定波長光のみを透過させる光学フィルタを設ける形態が挙げられる。この他には、光分割特性を特定波長光成分とそれ以外の成分とに分割するミラーやプリズム等のビームスプリッタによって、撮像光路を特定波長光用と通常撮影用とに分割する形態が挙げられる。このようなビームスプリッタを用いると光学フィルタが不要となり、構成の簡素化が一層図られる。また、光を無駄なく利用できるといった利点もある。なお、本発明の特定波長光としては赤外光が挙げられる。
【００１０】
【発明の実施の形態】
以下、図面を参照して本発明の一実施形態を説明する。
図１は、一実施形態に係る撮影装置を具備する資料提示装置を用いたプレゼンテーションシステムの全体を概略的に示している。図１中の符号Ｐはプレゼンター、１０はスクリーン、２０はスクリーン１０に画像を投影するプロジェクタ、３０は制御部、４０はパソコンである。パソコン４０では画像のデータが生成され、その画像データが、パソコン４０から制御部３０に入力される。そして、制御部３０で処理された画像データがプロジェクタ２０に入力され、その画像データに基づく画像がプロジェクタ２０からスクリーン１０に投影される。
【００１１】
図１で符号５０は資料提示装置である。この資料提示装置５０は、図２に示すように、資料載置台５１と、この資料載置台５１にアーム５２を介して支持された撮影装置としてのカメラ部６０とから構成されている。上記制御部３０は資料載置台５１の内部に収容されている。
【００１２】
アーム５２は、上下方向に延びる鉛直部５２ａの上端に前方（資料載置台５１の中央方向）に向かって延びる水平部５２ｂが取り付けられた逆Ｌ字状のもので、鉛直部５２ａは伸縮自在に構成され、水平部５２ｂは鉛直部５２ａに対して水平回転自在に取り付けられている。鉛直部５２ａの伸縮および水平部５２ｂの水平回転は手動で行うようになっており、任意の位置で固定できる。水平部５２ｂに関しては、通常は資料載置台５１に置いた原稿等の資料を被写体として撮影可能とするため、前方に延びた状態で固定される。
【００１３】
カメラ部６０は、アーム５２の水平部５２ｂの先端に、雲台等を介して撮影方向が下向きから前方に水平を越える範囲で首振り可能に取り付けられており、資料載置台５１に置かれる資料を撮影する下向き位置と、前方に向いた略水平位置の２位置のいずれかの位置に手動または自動で切り換えられる。
【００１４】
図３は、カメラ部６０の詳細を示している。このカメラ部６０は、同一構成の２つの撮像素子６１Ａ，６１Ｂ、ズームレンズ６２、ビームスプリッタ６３および光学フィルタ６４を備えており、これら構成要素がカメラヘッド６５内に収納され、オートフォーカス機能を備えている。撮像素子６１Ａ，６１ＢはＣＣＤ等からなるもので、図３はカメラ部６０が下向き位置にある状態を示しており、この状態では、ズームレンズ６２の光軸は資料載置台５１に直交し、ズームレンズ６２の上方にビームスプリッタ６３が配置されている。
【００１５】
２つの撮像素子６１Ａ，６１Ｂは、通常撮影用カメラと赤外光撮影用カメラである。通常撮影用撮像素子６１Ａはビームスプリッタ６３の上方に配置されており、撮像光路が下向きで、ズームレンズ６２によって資料載置台５１上の被写体像が結像される位置に配置されている。通常撮影用撮像素子６１Ａと赤外光撮影用撮像素子６１Ｂの撮像光路に関して換言するならば、被写体から見た場合の撮像光路がズームレンズ６２を通過した後にビームスプリッタ６３によって通常撮影用と赤外光撮影用とに分割されている。そして、通常撮影用の撮像光路に通常撮影用撮像素子６１Ａが配備され、赤外光撮影用の撮像光路に赤外光撮影用撮像素子６１Ｂが配備されている。赤外光撮影用撮像素子６１Ｂとビームスプリッタ６３との間には、赤外光撮影用撮像素子６１Ｂの撮像光路中に挿入された状態で、赤外光のみを撮影可能とする光学フィルタ６４が固定されている。
【００１６】
ビームスプリッタ６３はハーフミラーやハーフプリズム等で構成されるものであり、通常撮影用撮像素子６１Ａおよび赤外光撮影用撮像素子６１Ｂのいずれの光軸に対しても４５゜の角度で交わる状態に傾斜している。このビームスプリッタ６３の通常撮影用撮像素子６１Ａ側の光路は透過光路であり、ビームスプリッタ６３を透過する。一方、赤外光撮影用撮像素子６１Ｂ側の光路は反射光路であって、ズームレンズ６２を通過するとビームスプリッタ６３に反射して光軸が９０゜屈曲し、屈曲した後は赤外光撮影用撮像素子６１Ｂに至る。
【００１７】
上述したように、ビームスプリッタ６３から各撮像素子６１Ａ，６１Ｂまでの各距離Ｌ１，Ｌ２がほぼ等しいことにより、各撮像素子６１Ａ，６１Ｂの画角は互いにほぼ一致する。図３の線６６は、ズームレンズ６２を通して各撮像素子６１Ａ，６１Ｂに結像する画角を表している。
【００１８】
制御部３０には、撮像素子６１Ａ，６１Ｂ両方の撮影画像が入力される。制御部３０では、撮像素子６１Ｂで撮影された赤外光撮影画像データをポイント画像の合成位置や仮想スクリーンの基準点等を抽出するのに用いる。
【００１９】
図１および図２でプレゼンターＰが手に持っているのは、通信ボックス７０である。図４に示すように、通信ボックス７０の先端部には、ＬＥＤ等からなる赤外光を含む光を発する発光部７１が設けられている。この発光部７１が、図１および図２に示す仮想スクリーン１１の基準点Ａ，Ｂを設定したりポインティング操作を行ったりする際の指示手段である。仮想スクリーン１１は、基準点Ａ，Ｂを結ぶ対角線に基づき、プレゼンターＰによって例えば自身の右側に設定される。仮想スクリーン１１は、図５に示すように、プレゼンターＰが通信ボックス７０の発光部７１によって擬似的にポインティング操作するための矩形状のＸ軸（水平軸）およびＹ軸（鉛直軸）を備えた二次元的空間であって、基本的にはプレゼンターＰの右腕の動きでカバーされる範囲とされる。
【００２０】
通信ボックス７０には、発光部７１を発光させて基準点Ａ，Ｂを設定するための基準点設定用スイッチ７２と、ポインティングを行うためのポインタスイッチ７３とが設けられている。基準点設定用スイッチ７２をＯＮすると基準点設定用の赤外光が発光部７１から発光し、ポインタスイッチ７３をＯＮするとポインティング用の赤外光が発光部７１から発光する。
【００２１】
図２に示すように、資料載置台５１の前面には、赤外光を受光する受光部５４と、この受光部５４が基準点設定用の赤外光を認識し、撮像素子６１Ｂで撮影された赤外光撮影画像から発光点の位置を認識したことを点滅によって知らせる認識表示部５５が設けられている。受光部５４はフォトダイオード等で構成され、認識表示部５５はＬＥＤ等で構成される。カメラ部６０による撮影画像は、制御部３０に入力される。また、カメラ部６０のズームレンズ６２の倍率調整およびオートフォーカス機能は、発光部７１によってはじめに設定される基準点Ａを自動的に探索して画角内の所定位置に配置すべく、制御部３０によって制御されるようになっている。
【００２２】
また、通信ボックス７０には、画像切換スイッチ７４が設けられている。画像切換スイッチ７４は、プロジェクタ２０からスクリーン１０に投影される画像を、パソコン４０の画像（パソコン画像）か、あるいはカメラ部６０の通常撮影用撮像素子６１Ａによる撮影画像（カメラ画像）かのいずれかに選択するためのスイッチである。画像切換スイッチ７４を作動させると画像切換用の赤外光が発光部７１から発光し、その光は資料載置台５１の受光部５４で受光され、さらに受光信号が制御部３０に入力する。制御部３０は受光信号が入力するとパソコン画像からカメラ画像、あるいはその逆に画像を切り換えて画像信号をプロジェクタ２０に出力する。
【００２３】
上記基準点設定用スイッチ７２、ポインタスイッチ７３および画像切換スイッチ７４をＯＮすることにより発光部７１から発光する赤外光は、変調周波数または変調パターンの違いによって識別される。なお、波長が異なる３種の赤外光を発光させて識別可能としてもよい。
【００２４】
制御部３０は、一般的な画像解析の手法により、カメラ部６０の赤外光撮影用撮像素子６１Ｂで撮影された基準点Ａ，Ｂに基づき、仮想スクリーン１１のＸＹ座標を生成する。そして、仮想スクリーン１１上で移動する通信ボックス７０の発光部７１の位置が常に赤外光撮影用撮像素子６１Ｂで撮影されるとともに制御部３０に入力され、制御部３０は仮想スクリーン１１の座標上での発光部７１の座標を逐一算出する。そして、プロジェクタ２０に出力される画像データと発光部７１の座標データを処理し、出力画像における算出した発光部７１の座標にポイント画像を合成する。
【００２５】
次に、上記システムの利用方法の一例を、「資料提示装置から離れた位置でのポインティング」と「資料提示装置に置いた資料へのポインティング」に分けて説明する。
【００２６】
（１）資料提示装置から離れた位置でのポインティング
図６を参照して、仮想スクリーン１１を用いたポインティングの動作を説明する。
【００２７】
Ａ．仮想スクリーン１１の設定
まず、プレゼンターＰは通信ボックス７０の画像切換スイッチ７４により、プロジェクタ２０からスクリーン１０に投影される画像をパソコン画像に設定する。また、カメラ部６０を略水平位置とし、必要に応じてアーム５２の鉛直部５２ａを伸縮させるとともに水平部５２ｂを水平回転させ、カメラ部６０の撮影方向をプレゼンターＰに向ける。
【００２８】
ズームレンズ６２の倍率を小さくしてカメラ部６０を広角撮影とし、プレゼンターＰの方向を撮影している状態から、プレゼンターＰは右手に持った通信ボックス７０を右側の空間の左下に停止させ、基準点設定用のスイッチ７２をＯＮして発光部７１の位置である基準点Ａをマークする（ステップＳ１０１）。次いで、カメラ部６０が必要に応じてパンおよびチルトのアングル変換をしつつ、発光部７１を自動的に探索する（ステップＳ１０２）。赤外光撮影用撮像素子６１Ｂが基準点Ａである発光部７１を撮影すると（ステップＳ１０３）、認識表示部５５が点滅する（ステップＳ１０４）。基準点Ａの位置は、制御部３０に入力される。
【００２９】
次に、一旦基準点設定用スイッチ７２をＯＦＦにしてから、プレゼンターＰは右腕を伸ばして通信ボックス７０の発光部７１を右側の空間の右上に停止させ、基準点設定用スイッチ７２をＯＮして基準点Ａに対する対角隅点となる基準点Ｂをマークする（ステップＳ１０５）。赤外光撮影用撮像素子６１Ｂが基準点Ｂである発光部７１を撮影すると（ステップＳ１０６）、認識表示部５５が点滅する（ステップＳ１０７）。基準点Ｂの位置は、制御部３０に入力される。
【００３０】
続いて、カメラ部６０のズームレンズ６２の倍率を上げてズームアップし、必要に応じてパン、チルトとをそれぞれ自動的に行い、基準点Ａ，Ｂを結ぶ対角線に基づき設定される仮想スクリーン１１を、カメラ部６０の画角内に大きく写し込む（ステップＳ１０８）。図５は、この状態のカメラ部６０の撮影範囲Ｖを示している。次に、制御部３０は、カメラ部６０で撮影されている固定的な基準点Ａ，Ｂを結ぶ対角線に基づき、図５に示す矩形状の仮想スクリーン１１のＸＹ座標を生成する（ステップＳ１０９）。以上により固定的な仮想スクリーン１１がプレゼンターＰの右側に設定され、その仮想スクリーン１１を、赤外光撮影用撮像素子６１Ｂで撮影するための、パン・チルト・撮影倍率がプリセット値として記憶される。
【００３１】
Ｂ．プレゼンターによるポインティング
引き続きプレゼンターＰは通信ボックス７０のポインタスイッチ７３をＯＮにして、赤外光撮影状態を前記プリセット値に基づいて設定させた状態で、発光部７１を仮想スクリーン１１上で移動させるポインティングを行う（ステップＳ１１０）。発光部７１の位置は常に赤外光撮影用撮像素子６１Ｂにより撮影されて制御部３０に入力され、制御部３０は、仮想スクリーン１１の座標上での発光部７１の座標を算出する（ステップＳ１１１）。さらに制御部３０は、発光部７１の座標をスクリーン１０上の座標に変換し、ポイント画像の座標を生成する（ステップＳ１１２）。
【００３２】
一方、パソコン４０は画像データを制御部３０に出力する。この画像データは、スクリーン１０に投影されるポイント画像を含まない画像データである。そして、制御部３０は、そのパソコン画像における上記ポイント画像の座標の位置に所定のポイント画像を合成する（ステップＳ１１３）。こうして、画像データが生成される。この画像データはプロジェクタ２０に出力され、プロジェクタ２０から、パソコン画像にポイント画像が合成された画像がスクリーン１０に投影される（ステップＳ１１４）。これにより、仮想スクリーン１１上の発光部７１の位置に対応するスクリーン１０上の点にポイント画像が投影される。プレゼンターＰはスクリーン１０に投影されるポイント画像を見ながら、通信ボックス７０の発光部７１を適宜に移動させてポインティングを行う。
【００３３】
（２）資料提示装置に置いた資料へのポインティング
次に、資料提示装置５０の資料載置台５１に置いた原稿等の資料をスクリーン１０に投影し、その資料に対して直接ポインティングを行う動作を、図７を参照して説明する。この動作は、例えば上記プレゼンテーション中においてパソコン４０に格納されていない手書き原稿等をスクリーン１０に投影する場合などに行われる。
【００３４】
まず、カメラ部６０を下向きとし、かつ、アーム５２を適宜操作してカメラ部６０が資料載置台５１に置かれた資料を撮影できる状態とする。そして、上記と同様にして資料載置台５１上におけるカメラ部６０の撮影範囲内に仮想スクリーン１１を設定する（ステップＳ２０１）。この場合の仮想スクリーン１１の設定は、カメラ部６０による撮影範囲が資料載置台５１上に限られ固定的であることから、予め行っておいてもよい。次に、通信ボックス７０の画像切換スイッチ７４により、プロジェクタ２０からスクリーン１０に投影される画像をカメラ画像に切り換える（ステップＳ２０２）。これによって、資料載置台５１に置かれた資料は通常撮影用撮像素子６１Ａで撮影され、その撮影画像（資料画像）がプロジェクタ２０からスクリーン１０に投影される。
【００３５】
次に、通常撮影用撮像素子６１Ａで撮影した資料画像を制御部３０が静止画像として処理し、その静止画像をプロジェクタ２０に出力してスクリーンに投影させる（ステップＳ２０３）。この状態で通信ボックス７０の発光部７１またはペンライトを資料上で適宜に移動させてポインティングを行う（ステップＳ２０４）。これにより、スクリーン１０に投影される資料の静止画像に対し、赤外光撮影用撮像素子６１Ｂで撮影された発光部７１の位置に対応したポイント画像が合成される。このように、通常撮影用撮像素子６１Ａによって取り込んだ資料画像を静止画像として処理し、赤外光撮影用撮像素子６１Ｂで発光部７１を撮影して静止画像にポイント画像を合成させれば、通信ボックス７０やプレゼンターＰの手がスクリーンに映って資料が見えにくくなることなく、資料画像にポインティングを行うことができる。また、仮想スクリーン１１を資料などの被写体に一致させると、資料上で直接指示することが可能である。
【００３６】
上記動作は発光部７１によるポインティングであるが、発光部７１またはペンライトを発光させながら資料上で連続して動かすことにより、文字等を描くことができる。その場合、制御部３０は発光部７１を画像データとして取り込み、資料上の仮想スクリーン１１の座標上での発光部７１の座標を算出してポイント画像を生成し、移動する発光部７１の直前のポイント画像と上記ポイント画像を合成する。これを繰り返すことにより、資料上で移動する発光部７１に対応するスクリーン１０上の点にポイント画像が連続して投影され、その画像は発光部７１を発光させながら動かした軌跡となる。これによって文字等を描くことができる。なお、このような動作は、上記「資料提示装置から離れた位置でのポインティング」の場合にも実行することができる。
【００３７】
以上の実施形態によれば、資料提示装置５０の資料載置台５１に置いた資料をスクリーン１０に投影することができることは勿論のこと、カメラ部６０の赤外光撮影用撮像素子６１Ｂによって発光部７１を撮影することにより、プレゼンテーション用のポイント画像をスクリーン１０に投影することができる。このシステムでは、レーザポインタのようにレーザ光をスクリーンに投射するものではないので、レーザ光による危険性が根本的に解消され、安全性が確立される。
【００３８】
本実施形態では、通常撮影は通常撮影用撮像素子６１Ａで撮影し、通信ボックス７０の発光部７１を撮影する場合、すなわち仮想スクリーン１１を生成したりポインティングを行ったりする赤外光撮影は赤外光撮影用撮像素子６１Ｂで撮影するのであり、それら両方の画像が制御部３０に入っているのでカメラを切り換えることなく使用できる。したがって、従来のように１つのカメラの撮像光路中に光学フィルタを挿脱するといった手間が省かれ、また、光学フィルタの挿脱のための機構を必要としないので、構成の簡素化が図られる。
【００３９】
上記の説明では通常撮影は資料を撮影する場合を例に挙げているが、通常撮影としてはこの他に、プレゼンターや聴衆、あるいは会場全体を被写体とする場合もある。その場合にはカメラ部６０を略水平位置とし、アーム５２の水平部５２ｂを適宜に回転させる。このような被写体をスクリーン１０に投影すれば、プレゼンテーションをより一層充実させることができる。なお、アーム５２の操作（鉛直部５２ａの伸縮および水平部５２ｂの回転）やカメラ部６０の首振り操作を通信ボックス７０で遠隔操作できるようにすれば、このような通常撮影をスムーズに行うことができる。
【００４０】
また、赤外光撮影用撮像素子６１Ｂが撮影する仮想スクリーン１１および発光部７１の座標は、画像処理技術によって求められ、したがって、画像処理技術のプロセスで、発光部７１の手振れを補正したり、ポイント画像を円や線は勿論のこと矢印や手の形等の任意の形状に生成したりすることができる。よって、安定したポイント画像をスクリーン１０に投影することができるとともに、そのポイント画像を複雑多様な形状に変換することができる。
【００４１】
なお、上記赤外光撮影用撮像素子６１Ｂは発光部７１を撮影できればよいことから、モノクロ撮像素子であってかまわない。また、赤外光撮影用の撮像光路は光学フィルタ６４を配置することにより形成しているが、ビームスプリッタ６３として、光分割特性を赤外光成分とそれ以外の成分とに分割するタイプを用いれば、光学フィルタ６４を用いることなく赤外光撮影用の撮像光路を形成することができる。これによると、構成の簡素化が一層図られるとともに、光を無駄なく利用できるといった利点がある。
【００４２】
【発明の効果】
以上説明したように、本発明によれば、撮像光路を通常撮影用と特定波長光撮影用とに分割し、これら撮像光路に撮像手段をそれぞれ配備したことを特徴とするから、通常撮影と特定波長光撮影の切り換えを行う必要がなく、従来の方法のように光学フィルタの挿脱時間や操作による円滑なプレゼンテーションを阻害する要因を排除でき、しかもこの作用を簡素な構成で実現することができるといった効果を奏する。
【図面の簡単な説明】
【図１】本発明の一実施形態の撮影装置を具備する資料提示装置を用いたプレゼンテーションシステムの概略図ある。
【図２】プレゼンテーションシステムの概略を示す斜視図である。
【図３】カメラ部の構成を示す側面図である。
【図４】通信ボックスの平面図である。
【図５】カメラ部の撮影範囲に生成した仮想スクリーンを示す図である。
【図６】プレゼンテーションの動作例を示すフローチャートである。
【図７】プレゼンテーションの他の動作例を示すフローチャートである。
【符号の説明】
６０…カメラ部（撮影装置）
６１Ａ…通常撮影用撮像素子（撮像手段）
６１Ｂ…赤外光撮影用撮像素子（撮像手段）
６３…ビームスプリッタ
６４…光学フィルタ
【図１】
2004128830.tif 000003
【図２】
2004128830.tif 000004
【図３】
2004128830.tif 000005
【図４】
2004128830.tif 000006
【図５】
2004128830.tif 000007
【図６】
2004128830.tif 000008
【図７】
2004128830.tif 000009